(57)【要約】      （修正有）【課題】荷重の負担を軽減するとともに、両手を自由に使える状態で荷重を支持することができる荷重支持具及び抱っこ紐用の荷重支持具を提供する。【解決手段】身体に装着可能な荷重支持具であって、荷重を受ける本体及びこの本体に設けられた被接続部２１３を有する荷重受け部２と、被接続部２１３に接離可能であり、一端側に被接続部２１３に接続される接続部を有するとともに他端側に支持当接部３２を有し、接続状態で本体にかかる荷重を支持するスタンド部材３とを備えている。【選択図】図１
0003205931.tif 000002
【実用新案登録請求の範囲】
【請求項１】
身体に装着可能な荷重支持具であって、
荷重を受ける本体及びこの本体に設けられた被接続部を有する荷重受け部と、
前記被接続部に接離可能であり、一端側に前記被接続部に接続される接続部を有するとともに他端側に支持当接部を有し、接続状態で前記本体にかかる荷重を支持するスタンド部材と、
を具備することを特徴とする荷重支持具。
【請求項２】
前記荷重支持具の身体への装着は、前記荷重受け部に取付けられた身体の胴体に巻き付けられる装着部材によって行われることを特徴とする請求項１に記載の荷重支持具。
【請求項３】
前記荷重受け部は、略円弧状に形成された第１のアーム部と、この第１のアーム部から下方側へ湾曲して延出して形成された第２のアーム部とを有することを特徴とする請求項１又は請求項２に記載の荷重支持具。
【請求項４】
前記荷重受け部の被接続部は、側面視において、第１のアーム部の中心より後方側へ配置されていることを特徴とする請求項３に記載の荷重支持具。
【請求項５】
請求項１乃至請求項４のいずれか一項に記載の荷重支持具において、
前記荷重受け部は、抱っこ紐に保持された幼児の臀部を受けることができるように構成されていることを特徴とする抱っこ紐用の荷重支持具。
【請求項６】
請求項５に記載の抱っこ紐用の荷重支持具は、抱っこ紐と一体的であることを特徴とする抱っこ紐用の荷重支持具。
【考案の詳細な説明】
【技術分野】
【０００１】
本考案は、身体に装着可能な荷重支持具及び抱っこ紐用の荷重支持具に関する。
【背景技術】
【０００２】
従来、幼児、特に乳幼児を連れての移動手段には、例えば、ベビーカーや抱っこ紐がある。ベビーカーは、車輪による走行のため、その移動の労力が軽減できるものの、スペースを要し、混雑している場所、階段や交通機関等において使用に適さないという不都合がある。
【０００３】
一方、抱っこ紐は、幼児を親が抱っこする形態で幼児が親に密着するように保持されるので、スペースを必要とせず、また、幼児に安心感を与えるという利点がある。
しかしながら、幼児の体重が親の肩や腰にかかり、その荷重による負担が大きく、労力を軽減することが望まれている。
【０００４】
このため、抱っこ紐と併用して、乳幼児の体重を支える杖状のサポート器具が提案されている（特許文献１参照）。この杖状のサポート器具は、ぐらつき防止のハンドルを片手で握ることを必須としているため、乳幼児の体重を支えている場合、両手を自由に使うことができない構成となっている。
【０００５】
したがって、例えば、電車やバスに乗車中において、緊急時にバランスを崩すことがあると、片手しか使えないため十分にバランスを保つことが困難となり、安全性を確保できないという課題が生じる。
【０００６】
また、補助輪付きベビーホルダーが知られている（特許文献２参照）。この補助輪付きベビーホルダーは、チャイルドシートに車輪付きの補助脚が取り付けられているものである。  
【先行技術文献】
【特許文献】
【０００７】
【特許文献１】特開２０１５−１４７０２１号公報
【特許文献２】特開２００５−２９６５１８号公報
【特許文献３】実開昭５４−６１８０５号公報
【考案の概要】
【考案が解決しようとする課題】
【０００８】
しかしながら、このベビーホルダーは、専ら移動に際し、車輪により走行させて負担を軽減するものであり、静止時に幼児の体重を支えるものではない。あえて静止時に幼児の体重を支えようとする場合には、車輪の動きのために安定性を欠き、バランスを保つことが困難な状態となる。加えて、車輪にブレーキを設ける場合には、静止時にブレーキ操作のために少なくとも片方の手は塞がり、両手を自由に使うことはできないものとなる。
【０００９】
本考案は、上記課題に鑑みなされたもので、荷重の負担を軽減するとともに、両手を自由に使える状態で荷重を支持することができる荷重支持具及び抱っこ紐用の荷重支持具を提供することを目的とする。
【課題を解決するための手段】
【００１０】
請求項１に記載の荷重支持具は、身体に装着可能な荷重支持具であって、荷重を受ける本体及びこの本体に設けられた被接続部を有する荷重受け部と、前記被接続部に接離可能であり、一端側に前記被接続部に接続される接続部を有するとともに他端側に支持当接部を有し、接続状態で前記本体にかかる荷重を支持するスタンド部材と、を具備することを特徴とする。
かかる考案によれば、荷重の負担を軽減するとともに、両手を自由に使える状態で荷重を支持することができる
【００１１】
請求項２に記載の荷重支持具は、請求項１に記載の荷重支持具において、前記荷重支持具の身体への装着は、前記荷重受け部に取付けられた身体の胴体に巻き付けられる装着部材によって行われることを特徴とする。
【００１２】
請求項３に記載の荷重支持具は、請求項１又は請求項２に記載の荷重支持具において、前記荷重受け部は、略円弧状に形成された第１のアーム部と、この第１のアーム部から下方側へ湾曲して延出して形成された第２のアーム部とを有することを特徴とする。
【００１３】
請求項４に記載の荷重支持具は、請求項３に記載の荷重支持具において、前記荷重受け部の被接続部は、側面視において、第１のアーム部の中心より後方側へ配置されていることを特徴とする。
【００１４】
請求項５に記載の抱っこ紐用の荷重支持具は、請求項１乃至請求項４のいずれか一項に記載の荷重支持具において、前記荷重受け部は、抱っこ紐に保持された幼児の臀部を受けることができるように構成されていることを特徴とする。
請求項６に記載の抱っこ紐用の荷重支持具は、請求項５に記載の抱っこ紐用の荷重支持具において、抱っこ紐と一体的であることを特徴とする。
【考案の効果】
【００１５】
本考案によれば、荷重の負担を軽減するとともに、両手を自由に使える状態で荷重を支持することができる荷重支持具及び抱っこ紐用の荷重支持具を提供することが可能となる。
【図面の簡単な説明】
【００１６】
【図１】本考案の実施形態に係る荷重支持具の使用状態を示す斜視図である。
【図２】同荷重支持具において、荷重受け部とスタンド部材（縮めた状態）とを切離した状態を示す斜視図である。
【図３】同荷重支持具において、荷重受け部とスタンド部材（伸ばした状態）とを接続した状態を示す斜視図である。
【図４】同荷重支持具における荷重受け部を示す斜視図である。
【図５】同荷重支持具における荷重受け部を別の角度から見て示す斜視図である。
【図６】同荷重支持具における荷重受け部の本体を示す斜視図である。
【図７】同じく、荷重支持具における荷重受け部の本体を示す正面図である。
【図８】同じく、荷重支持具における荷重受け部の本体を示す右側面図である。
【図９】同じく、荷重支持具における荷重受け部の本体を示す背面図である。
【図１０】同じく、荷重支持具における荷重受け部の本体を示す平面図である。
【図１１】同じく、荷重支持具における荷重受け部の本体を示す底面図である。
【考案を実施するための形態】
【００１７】
以下、本考案の実施形態に係る荷重支持具について図１乃至図１１を参照して説明する。図１は、荷重支持具の使用状態を示す側面図、図２及び図３は、荷重支持具を示す斜視図、図４及び図５は、荷重受け部を示す斜視図である。また、図６は、荷重受け部における本体を示す斜視図、図７は、同正面図、図８は、同右側面図、図９は、同背面図、図１０は、同平面図、図１１は、同底面図である。なお、各図において、同一部分には同一符号を付し、重複する説明は省略する。
【００１８】
本実施形態の荷重支持具は、抱っこ紐用の荷重支持具である。すなわち、主として乳幼児等の幼児を抱っこするように保持する抱っこ紐と併用して用いられる荷重支持具である。
【００１９】
なお、この荷重支持具は、抱っこ紐と一体化されて構成される場合を妨げるものではない。また、抱っこ紐は、幼児を保持する機能を有していればよく、ベビーキャリア、ベビーホルダー、子守帯などと指称されるものが含まれる。
図１乃至図５に示すように荷重支持具１は、荷重受け部２と、スタンド部材３とを備えている。
【００２０】
荷重受け部２は、本体２１、座面２２、装着部材２３及び支持フック２４を有している。本体２１は、図６乃至図１１を併せて参照して示すように、全体的には椅子状をなしていて、合成樹脂材料で中空状に形成されており、第１のアーム部２１１と第２のアーム部２１２とを有している。
【００２１】
第１のアーム部２１１は、曲線状であり略円弧状に形成されている。具体的には、前方側へ突出する半円弧状であり、外周面には、後述する座面２２を取付けるためのねじ穴２１１ａが複数個形成されている。また、半円弧状の開放端側には、後述する装着部材２３を取付けるための一対の取付孔２１１ｂが形成されている。
【００２２】
この第１のアーム部２１１には、第２のアーム部２１２が一体的に形成されている。第２のアーム部２１２は、第１のアーム部２１１の略中央部から下方側であって後方側（半円弧状の開放端側（使用者の身体側））へ湾曲して延出するように形成されている。また、この延出端部には、垂直方向に被接続部２１３が形成されている。被接続部２１３は、スタンド部材３が接続される部分であり、円筒状に形成されていて、その円筒状の内端部には磁石に吸着する強磁性体２１３ａが配設されている。
【００２３】
また、図８に代表して示すように被接続部２１３は、側面視において、第１のアーム部２１１の中心ＣＬ１より後方側へ配置されている。つまり、被接続部２１３の中心ＣＬ２は、第１のアーム部２１１の中心ＣＬ１より後方側へずれて使用者の身体側に配置されている。
【００２４】
座面２２は、例えば、ポリエチレン製でネット状に作られており、第１のアーム部２１１の半円弧状の内周側に亘って配設されている。具体的には、座面２２は、本体２１の第１のアーム部２１１を巻き込むように配置され、ボルト２２１を第１のアーム部２１１のねじ穴２１１ａにねじ込むことによって取り付けられている。
【００２５】
したがって、座面２２は、ボルト頭で第１のアーム部２１１の外周面に強固に狭着して固定されている。このように構成された座面２２は、柔軟性と所定の伸縮性を有している。
【００２６】
なお、座面２２は、低反発材料のクッション等で構成してもよい。この場合、その高粘性や低弾性により、感触が良好となり、また、体圧が接触面全体に分散されるため、幼児の臀部への負担を軽減することができる。
【００２７】
装着部材２３は、荷重受け部２を身体に装着する部材であり、身体の胴体に巻き付けられて使用されるベルト状の部材である。換言すれば、腰に巻き付けられて使用される腰巻ベルトである。装着部材２３は、２本のベルト状の部材が、面ファスナー２３ａによって身体の胴回りに合わせて調整して締め付けることができるようになっている。
【００２８】
装着部材２３は、第１のアーム部２１１に形成された取付孔２１１ｂに挿入され、折り返されて留め具２３ｂによって取り付けられて固定されている。なお、面ファスナー２３ａに換えてバックル状のものを用いるようにしてもよい。
【００２９】
支持フック２４は、荷重受け部２の身体への装着を補助する部材である。具体的には、抱っこ紐ＢＳの背部のポケット等に係止して用いられる。支持フック２４は、ベルト状に形成されており、一端側が第１のアーム部２１１の外周面にボルト２２１によって固着され、他端側にフック２４ａが設けられている。
【００３０】
スタンド部材３は、前記本体２１の被接続部２１３に接離可能に接続されるスティック状の部材であり、伸縮可能に構成されている。なお、スタンド部材３は、折り畳み可能に構成してもよい。
【００３１】
スタンド部材３は、所定の強度を有するアルミニウム材料や合成樹脂材料で形成されており、一端側には接続部３１が形成されて、他端側は支持当接部３２となっている。接続部３１は、前記円筒状の被接続部２１３に嵌挿するように、被接続部２１３の内径寸法より僅かに小さい外径寸法を有する円柱状に形成されており、その上端部には磁石部３３が設けられている。
なお、支持当接部３２は、荷重を受けて例えば、床面等に当接される部分であり、滑り止めの機能を有するゴム材料等で形成されているのが好ましい。
【００３２】
さらに、スタンド部材３の接続部３１側には、略Ｌ字状に形成された係止部材３４が設けられている。係止部材３４は、スタンド部材３の不使用時に縮めて携行するため、抱っこ紐ＢＳ等に引掛けて係止する機能を果たすものである。
【００３３】
次に、以上のように構成された荷重支持具１の使用状態について説明する。まず、図１に示すように使用者は、周知の抱っこ紐ＢＳにて幼児を抱っこするように保持する。この状態において、荷重受け部２を身体に装着する。
【００３４】
詳しくは、座面２２が幼児の臀部を支持する位置となるように、装着部材２３を腰に巻き付けて締め付け、荷重受け部２を身体に装着する。また、支持フック２４のフック２４ａを抱っこ紐ＢＳのポケット等に引掛けて係止する。これにより、荷重受け部２の身体への装着が補助されるとともに歩行時に本体２１が下がってしまうことを防止でき安全性を確保することができる。
【００３５】
スタンド部材３は、図２に示すようにコンパクトに縮めて係止部材３４を例えば、抱っこ紐ＢＳに引掛けて係止する。このようにして使用者は、移動時に荷重支持具１を携帯する。
【００３６】
次いで、図１乃至図３に代表して示すように、静止状態で荷重支持具１を使用して幼児の荷重を支える場合には、スタンド部材３を荷重受け部２に取付ける。具体的には、接続部３１を被接続部２１３に嵌挿すると、磁石部３３の磁力によって接続部３１が被接続部２１３に吸着されて取付けられる。続いて、スタンド部材３を伸ばして適宜の長さ寸法に調整して長さ寸法を固定する。なお、接続部３１の接続方式は、マグネット方式が好ましいが、格別限定されるものではない。例えば、クリックアクションによって接続できるような構成を採用してもよいし、ねじ式の接続方式を採用してもよい。このねじ式の場合、例えば、被接続部２１３の部分を雌ねじ構造とし、接続部３１の部分を雄ねじ構造とすることができる。
【００３７】
この状態においては、スタンド部材３により、荷重受け部２にかかる荷重、つまり、抱っこ紐ＢＳを介した幼児の体重を支持することができる。具体的には、スタンド部材３の支持当接部３２が地面や床面等に当接され荷重を支持することができる。
【００３８】
また、移動時等の荷重支持具１を使用しない場合には、スタンド部材３を取り外し、既述のように、再びコンパクトに縮めて係止部材３４を抱っこ紐ＢＳに引掛けて係止すればよい。
【００３９】
以上のように本実施形態の荷重支持具１によれば、荷重支持具１を装着部材２３によって身体に装着して使用できるので、両手を自由に使える状態で荷重を支持することができ、使用者の荷重の負担を軽減することが可能となるとともに安全性を確保することができる。
【００４０】
また、荷重受け部２の本体２１は、アーム状であり、合成樹脂材料で中空状に形成されているので、軽量化を実現することができる。なお、本体２１を中空状によらず、中実状に形成する場合には、溝状部を形成する等の肉抜きを施して軽量化することができる。
【００４１】
さらに、第２のアーム部２１２は、下方側へ湾曲して延出するように形成されているので、上下方向に弾性変形が可能であり、例えば、電車内における幼児へ加わる振動を緩和することができる。加えて、荷重受け部２の座面２２は柔軟性と伸縮性を有しているので、幼児の臀部を包み込むように柔らかく支持することができる。
【００４２】
また、抱っこ紐ＢＳを介して幼児の体重を支持する場合、幼児は使用者の身体側へ抱きつき、身体側へ体重をかける傾向にある。このため、幼児が座面２２に臀部を沈み込ませたとき、幼児の重心が使用者の身体側へ若干寄って配置されることを考慮し、荷重支持具１の使用中にスタンド部材３を直立状態とした場合に、スタンド部材３の支持当接部３２が概ね幼児の重心の直下に配置されるように設計されている。
【００４３】
すなわち、被接続部２１３の中心ＣＬ２は、第１のアーム部２１１の中心ＣＬ１より後方側（使用者の身体側）へ配置されている。したがって、幼児の重心がほぼ被接続部２１３の中心ＣＬ２上、つまり、スタンド部材３の直上に位置されるようになるので、荷重支持の安定性を確保することが期待できる。
【００４４】
なお、本考案は、上記実施形態の構成に限定されることなく、考案の要旨を逸脱しない範囲で種々の変形が可能である。また、上記実施形態は、一例として提示したものであり、考案の範囲を限定することは意図していない。これら新規な実施形態は、その他の様々な形態で実施されることが可能であり、種々の省略、置き換え、変更を行うことができる。これら実施形態やその変形は、考案の範囲や要旨に含まれるとともに、実用新案登録請求の範囲に記載された考案とその均等の範囲に含まれる。
【００４５】
例えば、荷重支持具は、抱っこ紐と一体化されていてもよい。つまり、抱っこ紐に常に荷重支持具が取り付けられていたり、組み合わせられていたりする形態であってもよい。この場合、荷重受け部を身体に装着する部材である装着部材は省略してもよい。抱っこ紐のベルトによって、荷重受け部を身体に装着する状態にすることが可能となるためである。
また、荷重支持具は、抱っこ紐用の荷重支持具に限らない。バックパック等にも適用可能である。
【符号の説明】
【００４６】
１・・・荷重支持具
２・・・荷重受け部
３・・・スタンド部材
２１・・・本体
２２・・・座面
２３・・・装着部材
２４・・・支持フック
３１・・・接続部
３２・・・支持当接部
２１１・・・第１のアーム
２１２・・・第２のアーム
２１３・・・被接続部
ＢＳ・・・抱っこ紐
【図１】
0003205931.tif 000003
【図２】
0003205931.tif 000004
【図３】
0003205931.tif 000005
【図４】
0003205931.tif 000006
【図５】
0003205931.tif 000007
【図６】
0003205931.tif 000008
【図７】
0003205931.tif 000009
【図８】
0003205931.tif 000010
【図９】
0003205931.tif 000011
【図１０】
0003205931.tif 000012
【図１１】
0003205931.tif 000013